(57)【要約】【課題】成形性や信頼性を確保しつつも、ゴースト対策を有効に行えるレンズユニット及び撮像装置を提供する。【解決手段】フランジ部Ｌ２ａの像側面に設けた第１テーパ溝Ｌ２ｃに加えて、フランジ部Ｌ２ａの物体側面に第２テーパ溝Ｌ２ｄを設けているので、第２レンズＬ２内に入射した不要光ＬＢを捕える機能が高まり、ゴーストを抑制できる。一方、光軸直交方向の位置が異なって配置された第１テーパ溝Ｌ２ｃと第２テーパ溝Ｌ２ｄは、比較的深さが浅くなっており、テーパ溝Ｌ２ｃ、Ｌ２ｄと、フランジ部Ｌ２ａの物体側面との距離を比較的大きくとれる。このため第２レンズＬ２の局所的厚みの差が小さくなるから，その射出成形時に樹脂の流れが金型により絞られることが回避され、ウェルド等の発生が抑制され、また金型の転写面が平均化されることで離型性の悪化が抑制され、成形性が向上する。【選択図】図６
2016001262.tif 000002
【特許請求の範囲】
【請求項１】
レンズ部と、前記レンズ部から光軸直交方向に延在するフランジ部とを有する複数のレンズを積層してなるレンズユニットにおいて、
少なくとも１つのレンズにおいて、前記フランジ部の物体側面に形成された輪帯状の第１のテーパ溝と、前記フランジ部の像側面に形成された輪帯状の第２のテーパ溝とを形成したことを特徴とするレンズユニット。
【請求項２】
前記第１のテーパ溝と前記第２のテーパ溝とは、光軸直交方向の位置が互いにずれていることを特徴とする請求項１に記載のレンズユニット。
【請求項３】
前記第１のテーパ溝と前記第２のテーパ溝とは、光軸方向に隣接する部材との当接面より光軸側に形成されていることを特徴とする請求項１又は２に記載のレンズユニット。
【請求項４】
前記第１のテーパ溝と前記第２のテーパ溝のうち少なくとも一方は、側面として２つのテーパ面を有することを特徴とする請求項１〜３のいずれかに記載のレンズユニット。
【請求項５】
光軸に直交する面に対する、前記テーパ面の傾き角は４５°〜６０°であることを特徴とする請求項４に記載のレンズユニット。
【請求項６】
レンズ部と、前記レンズ部から光軸直交方向に延在するフランジ部とを有する複数のレンズを積層してなるレンズユニットにおいて、
少なくとも１つのレンズにおいて、前記フランジ部の光軸方向を向いた一方の面に輪帯状のテーパ溝を複数個形成したことを特徴とするレンズユニット。
【請求項７】
前記テーパ溝は、光軸と同軸に配置されていることを特徴とする請求項６に記載のレンズユニット。
【請求項８】
前記テーパ溝は、光軸方向に隣接する部材との当接面より光軸側に形成されていることを特徴とする請求項６又は７に記載のレンズユニット。
【請求項９】
前記テーパ溝のうち少なくとも一方は、側面として２つのテーパ面を有することを特徴とする請求項６〜８のいずれかに記載のレンズユニット。
【請求項１０】
光軸に直交する面に対する、前記テーパ面の傾き角は４５°〜６０°であることを特徴とする請求項９に記載のレンズユニット。
【請求項１１】
レンズ部と、前記レンズ部から光軸直交方向に延在するフランジ部とを有する複数のレンズを積層してなるレンズユニットにおいて、
少なくとも１つのレンズにおいて、前記フランジ部の物体側面に形成された輪帯状のテーパ溝を複数個設け、前記フランジ部の像側面に形成された輪帯状のテーパ溝を複数個設けたことを特徴とするレンズユニット。
【請求項１２】
前記フランジ部に薄膜状の黒色材を形成したことを特徴とする請求項１〜１１のいずれかに記載のレンズユニット。
【請求項１３】
請求項１〜１２のいずれかに記載のレンズユニットと、固体撮像素子とを有することを特徴とする撮像装置。
【発明の詳細な説明】
【技術分野】
【０００１】
本発明は、ＣＣＤ型イメージセンサあるいはＣＭＯＳ型イメージセンサ等の固体撮像素子を有する撮像装置に用いられると好適なレンズユニット及び撮像装置に関するものである。
【背景技術】
【０００２】
近年、ＣＣＤ型イメージセンサやＣＭＯＳ型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。高画素数をもつ撮像素子は大型化をともなっていたが、近年、画素の高細密化が進み、撮像素子が小型化されるようになってきた。これに伴い、撮像装置に搭載されるレンズユニットも、低背化に加え、高精度な組み立てを確保しつつ生産性を向上することが要求されている。
【０００３】
ここで、レンズユニットを複数のレンズからなる組み合わせレンズとしたときに、結像に寄与しない不要な光（不要光）がゴーストやフレアを招く恐れがある。そこで、不要光を抑制するために、例えば個々のレンズ間に遮光シートを介在させることが行われているが、それだけでは抑制が不十分である。
【０００４】
これに対し特許文献１には、レンズのコバ部の撮像素子側面に傾斜面を有する凹溝を設けて、レンズの撮像素子側面で反射する迷光を撮像領域外に逃がすことで、不要光の映り込みを抑制する技術が開示されている。
【先行技術文献】
【特許文献】
【０００５】
【特許文献１】特開２０１１−２４２５０４号公報
【発明の概要】
【発明が解決しようとする課題】
【０００６】
しかし、特許文献１に示された従来技術には，以下のような問題がある。まず、不要光を効率的に逃がすには、傾斜面を大きくする必要がある。ところが、傾斜面を大きくすることは凹溝の深さの増大を招くことになるので、レンズを射出成形する際に、凹溝を転写する金型の突起が障害となって樹脂の流れが悪くなり、歪みやウェルドの発生を招く恐れがある。又、成形されたレンズの離型時に、凹溝を転写した金型の比較的大きな突起の部分で離型性が悪化する恐れがある。更には、成形されたレンズに大きな凹溝が形成されていると、凹溝付近で応力集中が生じやすく容易に破断する恐れがあり、取り扱いが困難になるという問題もある。
【０００７】
本発明は、上記した問題に鑑みてなされたものであり、成形性や信頼性を確保しつつも、ゴースト対策を有効に行えるレンズユニット及び撮像装置を提供することを目的とする。
【課題を解決するための手段】
【０００８】
請求項１に記載のレンズユニットは、レンズ部と、前記レンズ部から光軸直交方向に延在するフランジ部とを有する複数のレンズを積層してなるレンズユニットにおいて、
少なくとも１つのレンズにおいて、前記フランジ部の物体側面に形成された輪帯状の第１のテーパ溝と、前記フランジ部の像側面に形成された輪帯状の第２のテーパ溝とを形成したことを特徴とする。
【０００９】
本発明によれば、少なくとも１つのレンズにおいて、前記フランジ部の物体側面に形成された輪帯状の第１のテーパ溝と、前記フランジ部の像側面に形成された輪帯状の第２のテーパ溝とを形成したので、２つのテーパ溝に前記フランジ部内を進行する不要光を入射させて、その進行方向を変えることで抑制効果を確保できる。特に、前記フランジ部にテーパ溝を一つ設ける場合に比べると、同等の抑制効果を確保しつつも、テーパ溝の深さをより浅く出来るから、これによりウェルド等の発生を抑制し離型性を高め成形性を向上させることができると共に、成形後のレンズにおいては、より浅いテーパ溝を持つことで信頼性が高まる。「テーパ溝」とは、溝の側面が溝底に向かうにつれて互いに近接している溝をいう。
【００１０】
請求項２に記載のレンズユニットは、請求項１に記載の発明において、前記第１のテーパ溝と前記第２のテーパ溝とは、光軸直交方向の位置が互いにずれていることを特徴とする。
【００１１】
前記第１のテーパ溝と前記第２のテーパ溝とを、光軸直交方向に互いにずらすことで、レンズの成形時に更に樹脂の流れが良くなり、ウェルド等の発生を有効に抑制できる。
【００１２】
請求項３に記載のレンズユニットは、請求項１又は２に記載の発明において、前記第１のテーパ溝と前記第２のテーパ溝とは、光軸方向に隣接する部材との当接面より光軸側に形成されていることを特徴とする。
【００１３】
これにより、不要光の抑制効果を高めることができる。「光軸方向に隣接する部材」とは、前記テーパ溝を設けたレンズが直接レンズと接している場合は、接しているレンズであり、前記テーパ溝を設けたレンズが遮光部材と接している場合は、遮光部材である。
【００１４】
請求項４に記載のレンズユニットは、請求項１〜３のいずれかに記載の発明において、前記第１のテーパ溝と前記第２のテーパ溝のうち少なくとも一方は、側面として２つのテーパ面を有することを特徴とする。
【００１５】
前記テーパ面により、不要光の抑制を行うことができる。
【００１６】
請求項５に記載のレンズユニットは、請求項４に記載の発明において、光軸に直交する面に対する、前記テーパ面の傾き角は４５°〜６０°であることを特徴とする。
【００１７】
前記テーパ面の傾き角は４５°〜６０°であると、入射した被写体光が不要光として撮像領域内に進入ことを有効に抑制できる。
【００１８】
請求項６に記載のレンズユニットは、レンズ部と、前記レンズ部から光軸直交方向に延在するフランジ部とを有する複数のレンズを積層してなるレンズユニットにおいて、
少なくとも１つのレンズにおいて、前記フランジ部の光軸方向を向いた一方の面に輪帯状のテーパ溝を複数個形成したことを特徴とする。
【００１９】
本発明によれば、少なくとも１つのレンズにおいて、前記フランジ部の光軸方向を向いた一方の面に輪帯状のテーパ溝を複数個形成したので、複数のテーパ溝に前記フランジ部内を進行する不要光を入射させて、その進行方向を変えることで抑制効果を確保できる。特に、前記フランジ部にテーパ溝を一つ設ける場合に比べると、複数のテーパ溝を設けることで、１つのテーパ溝から反射した不要光を更に別のテーパ溝に入射させ、これにより反射回数が増大することで光の減衰効果を期待できるから、同等の抑制効果を確保しつつも、テーパ溝の深さを浅く出来る。これによりウェルド等の発生を抑制し離型性を高め成形性を向上させることができると共に、成形後のレンズにおいては、より浅いテーパ溝を持つことで信頼性が高まる。
【００２０】
請求項７に記載のレンズユニットは、請求項６に記載の発明において、前記テーパ溝は、光軸と同軸に配置されていることを特徴とする。
【００２１】
これにより、反射回数が増大することで不要光の抑制効果を高めることができる。
【００２２】
請求項８に記載のレンズユニットは、請求項６又は７に記載の発明において、前記テーパ溝は、光軸方向に隣接する部材との当接面より光軸側に形成されていることを特徴とする。
【００２３】
これにより、不要光の抑制効果を高めることができる。
【００２４】
請求項９に記載のレンズユニットは、請求項６〜８のいずれかに記載の発明において、前記テーパ溝のうち少なくとも一方は、側面として２つのテーパ面を有することを特徴とする。
【００２５】
前記テーパ面により、不要光の抑制を行うことができる。
【００２６】
請求項１０に記載のレンズユニットは、請求項９に記載の発明において、光軸に直交する面に対する、前記テーパ面の傾き角は４５°〜６０°であることを特徴とする。
【００２７】
前記テーパ面の傾き角は４５°〜６０°であると、入射した被写体光が不要光として撮像領域内に進入することを有効に抑制できる。
【００２８】
請求項１１に記載のレンズユニットは、レンズ部と、前記レンズ部から光軸直交方向に延在するフランジ部とを有する複数のレンズを積層してなるレンズユニットにおいて、
少なくとも１つのレンズにおいて、前記フランジ部の物体側面に形成された輪帯状のテーパ溝を複数個設け、前記フランジ部の像側面に形成された輪帯状のテーパ溝を複数個設けたことを特徴とする。
【００２９】
本発明によれば、少なくとも１つのレンズにおいて、前記フランジ部の物体側面に形成された輪帯状のテーパ溝を複数個設け、前記フランジ部の像側面に形成された輪帯状のテーパ溝を複数個設けたので、該テーパ溝に前記フランジ部内を進行する不要光を入射させて、その進行方向を変えることで抑制効果を確保できる。特に、前記フランジ部にテーパ溝を一つ設ける場合に比べると、同等の抑制効果を確保しつつも、テーパ溝の深さを浅く出来、更に同じ側の面にテーパ溝を複数個設けることで、１つのテーパ溝から反射した不要光を更に別のテーパ溝に入射させ、これにより反射回数が増大することで光の減衰効果を期待できるから、ウェルド等の発生を抑制し離型性を高め成形性を向上させることができると共に、成形後のレンズにおいては、より浅いテーパ溝を持つことで信頼性が高まる。
【００３０】
請求項１２に記載のレンズユニットは、請求項１〜１１のいずれかに記載の発明において、前記フランジ部に薄膜状の黒色材を形成したことを特徴とする。
【００３１】
前記テーパ溝を含むフランジ部に薄膜状の黒色材を形成することにより、入射した不要光を吸収でき、ゴーストやフレアの発生を抑制できる。「黒色材の形成」とは、インクジェットによる黒色インクの塗布、黒色インクのスタンプ、黒色膜のコート、黒色テープの貼り付けなどがある。
【００３２】
請求項１２に記載の撮像装置は、請求項１〜１１のいずれかに記載のレンズユニットと、固体撮像素子とを有することを特徴とする。
【発明の効果】
【００３３】
本発明によれば、成形性や信頼性を確保しつつも、ゴースト対策を有効に行えるレンズユニット及び撮像装置を提供することができる。
【図面の簡単な説明】
【００３４】
【図１】本実施の形態にかかる撮像装置１０の光軸に沿った断面図である。
【図２】撮像装置１０を搭載したスマートフォンの正面図（ａ）及び背面図（ｂ）である。
【図３】図６のスマートフォンの制御ブロック図である。
【図４】図１の矢印Ａで示す部位に相当する図であり、比較例１を示す。
【図５】図１の矢印Ａで示す部位に相当する図であり、比較例２を示す。
【図６】図１の矢印Ａで示す部位を拡大して示す図であり、本実施の形態を示す。
【図７】図１の矢印Ａで示す部位を拡大して示す図であり、本実施の形態を示す。
【図８】図１の矢印Ａで示す部位に相当する図であり、比較例２を示す。
【図９】図１の矢印Ａで示す部位に相当する図であり、別の実施の形態を示す。
【図１０】図１の矢印Ａで示す部位に相当する図であり、別の実施の形態を示す。
【発明を実施するための形態】
【００３５】
以下、本発明の実施の形態を図面に基づいて説明する。図１は、本実施の形態にかかる撮像装置１０の光軸に沿った断面図である。以下に示す構成は概略図であり、形状や寸法等は実際と異なるものがある。
【００３６】
図１に示すように、撮像装置１０は、光電変換部（受光面）１１ａを備えた固体撮像素子としてのＣＭＯＳ型撮像素子１１と、この撮像素子１１の光電変換部１１ａに被写体像を撮像させる撮像レンズ１２と、撮像レンズ１２を保持する鏡枠１３と、平行平板状であるＩＲカットフィルタ１４と、撮像素子１１を支持する基板１５とを有する。
【００３７】
図１に示すように、撮像素子１１は、平行平板状のチップ上において、その受光側（図１で上面）の中央部に、画素（光電変換素子）が２次元的に配置された、撮像面としての光電変換部１１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。
【００３８】
また、撮像素子１１のチップにおける受光面側の外縁近傍に形成された複数のパッドは、不図示のワイヤにより基板１５に接続されている。撮像素子１１は、光電変換部１１ａからの信号電荷をデジタルＹＵＶ信号等の画像信号等に変換し、不図示の外部回路（例えば、撮像装置を実装した上位装置が有する制御回路）へと送信するようになっている。又、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００３９】
図１において、鏡枠１３の内部には、プラスチック製である５枚レンズ構成の撮像レンズ１２が設けられている。撮像レンズ１２と鏡枠１３とでレンズユニットを構成する。撮像レンズ１２は物体側より順に、第１レンズＬ１、第２レンズＬ２、第３レンズＬ３、第４レンズＬ４、第５レンズＬ５からなり、それぞれ有効径外にフランジ部を有する。
【００４０】
第１レンズＬ１のフランジ部Ｌ１ａは、その物体側面が、鏡枠１３の開口を有する壁部１３ａの像側面に当接し、その外周面が内壁１３ｂに当接している。第１レンズＬ１の有効径外側に設けられたフランジ部Ｌ１ａの外周部Ｌ１ｂは像側に環状に突出しており、第２レンズＬ２の有効径外側に設けられたフランジ部Ｌ２ａの物体側面に当接している。外周部Ｌ１ｂの第２レンズＬ２に当接している面が当接面である。第１レンズＬ１のフランジ部Ｌ１ａと、第２レンズＬ２のフランジ部Ｌ２ａとの間には、ドーナッツ板状の第１遮光板ＡＰ１が配置されている。
【００４１】
更に、第２レンズＬ２のフランジ部Ｌ２ａの外周部Ｌ２ｂは、第２レンズＬ３の有効径外側に設けられたフランジ部Ｌ３ａの物体側面に対して、ドーナッツ板状の第２遮光板ＡＰ２を介して当接している。外周部Ｌ１ｂの第２遮光部材ＡＰ２に当接している面が当接面である。
【００４２】
更に、第３レンズＬ３のフランジ部Ｌ３ａの外周部Ｌ３ｂは、第４レンズＬ４の有効径外側に設けられたフランジ部Ｌ４ａの物体側面に対して、ドーナッツ板状の第３遮光板ＡＰ３を介して当接している。
【００４３】
更に、第４レンズＬ４のフランジ部Ｌ４ａと、第５レンズＬ５のフランジ部Ｌ５ａとの間に、ドーナッツ板状の第４遮光板ＡＰ４が当接して挟持されている。第４遮光板ＡＰ４及び第５レンズＬ５の外周は、鏡枠１３の内周に当接している。尚、レンズＬ１〜Ｌ５のフランジ部の表面（後述するテーパ溝含む）全体に、薄膜状の黒色材を付与していることが望ましい。
【００４４】
第５レンズＬ５のフランジ部Ｌ５ａの撮像素子１１側には、環状のスペーサＳＰを介してＩＲカットフィルタ１４が配置されている。鏡枠１３の下端は、ＩＲカットフィルタ１４を保持する環状のホルダ１６を介して基板１５上に当接している。
【００４５】
上述した撮像装置１０の動作について説明する。図２は、撮像装置１０を携帯端末としてのスマートフォン１００に装備した状態を示す。また、図３はスマートフォン１００の制御ブロック図である。
【００４６】
撮像装置１０は、例えば、鏡枠１３の物体側端面がスマートフォン１００の背面（図３（ｂ）参照）に設けられ、液晶表示部の下方に相当する位置に配設される。
【００４７】
撮像装置１０は、外部接続端子（図３では矢印）を介して、スマートフォン１００の制御部１０１と接続され、輝度信号や色差信号等の画像信号を制御部１０１側に出力する。
【００４８】
一方、スマートフォン１００は、図３に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００４９】
スマートフォン１００は、入力キー部６０の操作によって動作し、アクチュエータ（不図示）により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９２に記憶されたり、或いはタッチパネル７０で表示され、さらには、無線通信部８０を介して映像情報として外部に送信される。
【００５０】
次に、比較例を参照して本実施の形態を説明する。図４〜７は、図１の矢印Ａで示す部位を拡大して示す図であり、図４，５が比較例であり、図６，７が本実施の形態であって、入射した不要光の光路を矢印で示している。
【００５１】
まず、図４に示す比較例１の場合、第２レンズＬ２のフランジ部Ｌ２ａの像側面のみにおいて、外周部Ｌ２ｂより光軸側にテーパ溝Ｌ２ｃを有している。断面が三角形状のテーパ溝Ｌ２ｃは、内周側のテーパ面ＴＰ１と、それに交差する外周側のテーパ面ＴＰ２とを有する。ここで、第２レンズＬ２に入射した不要光ＬＢは、像側レンズ面Ｓ２で反射した後、第２レンズＬ２内を２回反射するが、テーパ溝Ｌ２ｃの深さが比較的浅いので、テーパ溝Ｌ２ｃとフランジ部Ｌ２ａの物体側面との間を通過してしまう可能性が高い。これにより像側レンズ面Ｓ２から出射した光束が、ゴーストを発生させる恐れがある。
【００５２】
これに対し，図５で示す比較例２の場合、比較例１と比べてテーパ溝Ｌ２ｃの深さを深くしているので、第２レンズＬ２に入射した不要光ＬＢが、テーパ面ＴＰ２に入射することで屈折し、点線で示すように像側レンズ面Ｓ２に向かうことを阻止できる。ところが、テーパ溝Ｌ２ｃの深さを深くすることで、テーパ溝Ｌ２ｃとフランジ部Ｌ２ａの物体側面との距離が小さくなる。これにより第２レンズＬ２の厚みの差が大きくなるから，その射出成形時に樹脂の流れが金型により絞られることでウェルド等の発生が懸念され、また起伏の大きな金型による離型性の悪化が懸念され、成形性が悪化するという問題がある。加えて、成形された第２レンズＬ２は、深いテーパ溝Ｌ２ｃの位置で応力集中が生じ、破断等を招く恐れもある。又、第２レンズＬ２に入射した不要光ＬＢの入射角度によっては、テーパ溝Ｌ２ｃの深さを深くしても捕らえることができない場合もある。
【００５３】
これに対し、図６、７に示す本実施の形態では、第２レンズＬ２のフランジ部Ｌ２ａの像側面において、外周部Ｌ２ｂより光軸側に光軸と同軸な輪帯状の第１テーパ溝Ｌ２ｃを有すると共に、フランジ部Ｌ２ａの物体側面において、外周部Ｌ２ｂより光軸側に光軸と同軸な輪帯状の第２テーパ溝Ｌ２ｄを有している。断面が三角形状の第１テーパ溝Ｌ２ｃは、内周側のテーパ面ＴＰ１と、それに交差する外周側のテーパ面ＴＰ２とを有する。テーパ面ＴＰ２の光軸直交面に対する傾き角θ１は、４５°〜６０°である。又、断面が三角形状の第２テーパ溝Ｌ２ｄは、内周側のテーパ面ＴＰ３と、それに交差する外周側のテーパ面ＴＰ４とを有する。テーパ面ＴＰ４の光軸直交面に対する傾き角θ２は、４５°〜６０°である。第１テーパ溝Ｌ２ｃと第２テーパ溝Ｌ２ｄとは、光軸直交方向の位置が異なっている。
【００５４】
本実施の形態によれば、フランジ部Ｌ２ａの像側面に設けた第１テーパ溝Ｌ２ｃに加えて、フランジ部Ｌ２ａの物体側面に第２テーパ溝Ｌ２ｄを設けているので、図６，７に示すように、第２レンズＬ２内に入射した不要光ＬＢを捕える機能が高まり、ゴーストを抑制できる。一方、光軸直交方向の位置が異なって配置された第１テーパ溝Ｌ２ｃと第２テーパ溝Ｌ２ｄは、比較的深さが浅くなっており、テーパ溝Ｌ２ｃ、Ｌ２ｄと、それに対向するフランジ部Ｌ２ａの物体側面との距離を、比較例２と比べて大きく確保できる。このため第２レンズＬ２の厚みの差が小さくなるから，その射出成形時に樹脂の流れが金型により絞られることが回避され、ウェルド等の発生が抑制され、また金型の転写面の起伏が平均化されることで離型性の悪化が抑制され、成形性が向上する。加えて、成形された第２レンズＬ２には応力集中が生じにくいという効果もある。又、２つのテーパ溝Ｌ２ｃ、Ｌ２ｄをフランジ部Ｌ２ａの対向する面に設けることで、捕らえることができる不要光ＬＢの範囲が広がるので、ゴースト抑制の観点から好ましい。
【００５５】
次に、比較例を参照して別の実施の形態を説明する。図８〜１０は、図１の矢印Ａで示す部位に相当する部位を示す図であるが、図８が比較例に対応し、図９，１０が本実施の形態に対応しており、入射した不要光の光路を矢印で示している。
【００５６】
図８は、上述した比較例２と同じ形状を有するが、第２レンズＬ２に入射した不要光ＬＢの光路が変わっている。図８の例では、不要光ＬＢは第２レンズＬ２に入射した後に、反射を１１回繰り返して、第２レンズＬ２の像側光学面Ｓ２から出射するようになっている。ここで、第２レンズＬ２の内部反射における反射率は１００％ではないので、反射回数が増加するにつれて不要光ＬＢが減衰するというと特性がある。
【００５７】
これに対し、図９に示す本実施の形態では、第２レンズＬ２のフランジ部Ｌ２ａの像側面において、外周部Ｌ２ｂより光軸側に、輪帯状の第１テーパ溝Ｌ２ｃと、輪帯状の第２テーパ溝Ｌ２ｄとを光軸と同軸に併設している。断面が三角形状の第１テーパ溝Ｌ２ｃは、内周側のテーパ面ＴＰ１と、それに交差する外周側のテーパ面ＴＰ２とを有する。テーパ面ＴＰ２の光軸直交面に対する傾き角θ１は、４５°〜６０°である。又、断面が三角形状の第２テーパ溝Ｌ２ｄは、内周側のテーパ面ＴＰ３と、それに交差する外周側のテーパ面ＴＰ４とを有する。テーパ面ＴＰ４の光軸直交面に対する傾き角θ２は、４５°〜６０°である。本実施の形態によれば、不要光ＬＢは第２レンズＬ２に入射した後に、２つのテーパ溝Ｌ２ｃ、Ｌ２ｄのテーパ面で反射する回数が増え、具体的には反射を１８回繰り返して、第２レンズＬ２の像側光学面Ｓ２から出射するようになっている。つまり、図８に示す比較例に対して反射回数が増大するので、その分だけ不要光ＬＢが減衰し、ゴーストを抑制することができる。尚、テーパ溝は３個以上，併設しても良い
【００５８】
一方、図１０に示す本実施の形態では、第２レンズＬ２のフランジ部Ｌ２ａの像側面において、外周部Ｌ２ｂより光軸側に第１テーパ溝Ｌ２ｃと、第２テーパ溝Ｌ２ｄとを併設し，且つフランジ部Ｌ２ａの物体側面において、外周部Ｌ２ｂより光軸側に第３テーパ溝Ｌ２ｅと、第４テーパ溝Ｌ２ｆとを併設している。テーパ溝Ｌ２ｃ、Ｌ２ｄは、図９に示す実施の形態と同様な形状であり、第３テーパ溝Ｌ２ｅと、第４テーパ溝Ｌ２ｆとは、図６，７に示す実施の形態と同様な形状であって良い。本実施の形態によれば、不要光ＬＢは第２レンズＬ２に入射した後に、４つのテーパ溝Ｌ２ｃ、Ｌ２ｄ、Ｌ２ｅ、Ｌ２ｆのテーパ面で反射する回数が増え、具体的には反射を２３回繰り返して、第２レンズＬ２の像側光学面Ｓ２から出射するようになっているので、ゴーストを有効に抑制できる。
【産業上の利用可能性】
【００５９】
本発明は、明細書に記載の実施例に限定されるものではなく、他の実施例・変形例を含むことは、本明細書に記載された実施例や思想から本分野の当業者にとって明らかである。上述した実施の形態では、第２レンズＬ２にテーパ溝を設けたが、第１レンズＬ１もしくは第３レンズＬ３以降にテーパ溝を設けても良い。
【符号の説明】
【００６０】
１０            撮像装置
１１            撮像素子
１１ａ            光電変換部
１２            撮像レンズ
１３            鏡枠
１４            ＩＲカットフィルタ
１５            基板
６０            入力キー部
６５            表示部
７０            タッチパネル
７１            レリーズボタン
８０            無線通信部
９２            記憶部
１００            スマートフォン
１０１            制御部
Ｌ１〜Ｌ５        レンズ
【図１】
2016001262.tif 000003
【図２】
2016001262.tif 000004
【図３】
2016001262.tif 000005
【図４】
2016001262.tif 000006
【図５】
2016001262.tif 000007
【図６】
2016001262.tif 000008
【図７】
2016001262.tif 000009
【図８】
2016001262.tif 000010
【図９】
2016001262.tif 000011
【図１０】
2016001262.tif 000012